(57)【要約】【課題】腰掛けたときの上体保持力が高く、高齢者にも使い易い形態を有し、更に利用者が種々の目的に使用することができる、椅子を提供する。【解決手段】椅子（１）は、台座（２）と、台座（２）に一体化された支持脚（３、４、５、６）と、台座（２）の上面の後部に立設された背もたれ部（１１）と、背もたれ部（１１）に設けられた一対の背当てパッド（１５、１６）と、台座（２）の両側部にそれぞれ取り付けられた手すり部材（２３、２４）と、背もたれ部（１１）の前方に位置する一対の腰当てパッド（１８、１９）とを有し、腰当てパッド（１８、１９）と背当てパッド（２３、２４）によって人の背骨の両側をそれぞれ保持する。【選択図】図１
2004113255.tif 000002
【特許請求の範囲】
【請求項１】
台座と、前記台座に一体化された支持脚と、前記台座の上面の後部に立設された背もたれ部と、前記背もたれ部に設けられた一対の背当てパッドと、前記台座の両側部にそれぞれ取り付けられた手すり部材と、前記背もたれ部の前方に位置する一対の腰当てパッドとを有することを特徴とする、椅子。
【請求項２】
請求項１に記載の椅子において、前記手すり部材の一方に水平方向に回動自在に移動テーブルを取り付けてなる、前記椅子。
【請求項３】
請求項１又は２に記載の椅子において、前記腰当てパッドを前記手すり部材の下方に収納可能に構成してなる、前記椅子。
【請求項４】
請求項１又は２に記載の椅子において、前記腰当てパッドを前記背もたれ部に沿って上下方向に移動可能に構成してなる、前記椅子。
【請求項５】
請求項１乃至４のうちのいずれか一項に記載の椅子において、前記台座に便座を有する便器を着脱自在に装着してなる、前記椅子。
【発明の詳細な説明】
【０００１】
【産業上の利用分野】
本発明は、利用者の上体を支持する機能を備えた椅子に関し、更に詳細に述べると、骨粗鬆症患者や身体に障害を持つ人等が座したとき、その腰部と背部を支持して上体を安定させることができる、椅子に関するものである。
【０００２】
【従来の技術】
骨粗鬆症患者や妊産婦や身体に障害を持つ人等で上体を保持する機能が衰えた人が、できうる限り健常者に近い生活をおくるには、上体保持機能を備えた椅子の開発が必要である。このような上体保持力の衰えた人は、健常者と非健常者の間を行き来することが多く、また、比較的高齢者が多い。したがって、この椅子は、上体保持力が高いという機能のみでなく、これらの人にとって使い勝手が良い椅子でなければならない。
【０００３】
【発明が解決しようとする課題】
そこで、本発明の目的は、腰掛けたときの上体保持力が高く、高齢者にも使い易い形態を有し、更に利用者が種々の目的に使用することができる、椅子を提供することにある。
【０００４】
【課題を解決するための手段】
上述の目的を達成するため、本発明の椅子は、台座と、台座に一体化された支持脚と、台座の上面の後部に立設された背もたれ部と、背もたれ部に設けられた一対の背当てパッドと、台座の両側部にそれぞれ取り付けられた手すり部材と、背もたれ部の前方に位置する一対の腰当てパッドとを有することを特徴とする。
【０００５】
このような構成の椅子によれば、腰当てパッドと背当てパッドによって人の背骨の両側をそれぞれ保持するから、腰掛けた人は安定した姿勢を維持することが可能であり、腰掛けた人はその状態で種々の作業や動作を行うことができる。
【０００６】
【発明の実施の形態】
本発明の椅子の手すり部材の一方に水平方向に回動自在に移動テーブルを取り付ければ、このテーブル上で読書や飲食等を行うことができる。また、この椅子の腰当てパッドを手すり部材の下方に収納可能に構成すれば、腰当てパッドの存在しない状態で種々の作業を行うことができる。更に、この椅子の腰当てパッドを背もたれ部に沿って上下方向に移動可能に構成すれば、座る人の体型に合わせてその上体を効果的に保持することができる。そして、椅子の台座に、便座を有する便器を着脱自在に装着すれば、ポータブルトイレとして機能する。更に、手すり部材を台座から取り外すことができるように構成すれば、ベッドから椅子に直接乗り移ったり、椅子からベッドに直接移動したりすることができる。なお、移動テーブルを取り付けたとき、移動テーブルの支持脚にダンパー付きのキャスターを取り付ければ、移動テーブルの回動を滑らかに行うことができると共に、利用者等が移動テーブルに体重をかけると移動テーブルが下降し、キャスターが床面に当接して固定され、移動テーブルの回動が阻止される。よって、利用者等が不慮の事故にあうことを未然に防止することができる。
【０００７】
【実施例】
以下、本発明の実施例を図面を参照して説明する。
【０００８】
図１乃至図４は、本発明の椅子の第一実施例を示す。椅子１は全体として方形の台座２を有し、台座２の四隅部には支持脚３、４、５、６が一体成形されている。支持脚３、４、５、６の長さは比較的短く形成され、これにより台座２の上面７の高さを抑え、利用者の利便に供すると共に椅子１の安定性を向上させている。支持脚３、４、５、６は台座２の四隅部よりも台座２の内側に位置しないように配置され、利用者が台座２の辺縁部等に荷重をかけても台座２が傾かないように構成される。また、台座２の姿勢を更に安定させるため、支持脚３、４、５、６の下部を支持脚３、４、５、６の上部よりも台座２の外方へ張り出すように構成することができる。
【０００９】
台座２の中央部には便座８を取り付けることができる。便座８は利用者の体型に合わせて比較的小さな便座開口９が形成され、便座８の下方には便器９が位置する。便器９は、上部が開口した箱状の容器からなり、便座８は便座開口９を介して便器９の内部に連通する。便器９は、洗浄等の用に供するため、台座２の上方に便座７と共に取り外すことができる。便座７と便器９を取り外した状態では、台座２は四隅部に支持脚３、４、５、６を有し、中央部に方形の開口を有する、枠体形状をなす。便座７と便器９は、台座２の上方から台座２の開口に挿入されることによって、台座２に装着される。便器９は台座２に着脱可能に取り付けられれば十分であり、その取り付け構造は任意に選択可能である。例えば、便器９の側面に溝（図示せず）を設け、台座２の内面に形成した突条（図示せず）にこの溝を摺動自在に係合させることによって、便器９を台座２に装着することもできる。この場合には、例えば便器９を椅子１の前方に水平に引き出すことによって着脱することができる。
【００１０】
台座２の上面の後部中央には、利用者の背面に位置するように支持板１０が立設され、支持板１０を囲むように背もたれ部１１が配置されている。支持板１０は、椅子１の利用者の腰部周辺を覆い隠すという機能を果たすと共に、特に、骨粗鬆症患者等の背面を効果的に支持することができるように適当な角度で後方に傾斜している。背もたれ部１１は、湾曲した管状部材からなる一対の側部枠体１２、１３と、これらの側部枠体１２、１３を連結する背もたれ板１４とを有する。側部枠体１２、１３と背もたれ板１４とは一体化され、これによって背もたれ部１１は十分な機械的強度を具備する。また、背もたれ部１１を構成する各部材はできる限り緩やかに湾曲した形態を成すように形成され、利用者が体を当接させても苦痛を感じないように配慮されている。背もたれ板１４の中央部には可撓性材料で形成された一対の背当てパッド１５、１６が取り付けられ、これらのパッド１５、１６は利用者の背骨を挟んでその両側に当接する位置に配される。
【００１１】
椅子１は、背もたれ部１１の一対の背当てパッド１５、１６に対応する、更にもう一対のパッド１７、１８を有する。これらのパッド１７、１８は利用者の腰部を保持するための腰当パッドであり、それぞれ、パッド支持板１９、２０に取り付けられている。パッド支持板１９、２０は、背もたれ部１１の側部枠体１２、１３の前方脚部２１、２２に回転可能に装着され、非使用時には、図３に示すように、椅子１の側部に納められる。椅子１の側部に納められた腰当てパッド１７、１８は、図４において参照番号１７ａ、１８ａの位置にある。図１において、参照番号２１、２２は、パッド支持板１９、２０のストッパー部材を示し、パッド支持板１９、２０はストッパー部材２１、２２に当接して回動を規制され、所定の位置に収納される。
【００１２】
椅子１の座部２の上面には、一対の手すり部材２３、２４が取り付けられる。手すり部材２３、２４は湾曲した管状部材からなり、それらの中途部から下方に延在する支柱２５、２６を有する。台座２の上面には開口２７、２８が形成され、手すり部材２３、２４はそれらの支柱２５、２６をこれらの開口２７、２８に挿入することにより台座２に着脱自在に装着される。手すり部材２３、２４を着脱自在にした理由は、椅子１の利用者がベッド等から直接に台座２に移乗することができるようにするためである。
【００１３】
手すり部材２４の支柱２５には、移動テーブル２９が水平方向に回動可能に取り付けられ、移動テーブル２９の端部には下方へ延在する脚部３０が設けられている。そして、脚部３０の下端部には一対のキャスター３１、３２が取り付けられ、これらのキャスター３１、３２が床面を転動することにより、移動テーブル２９の回動が行われる。手すり部材２３、２４は床面から比較的低い位置に設けられているから、利用者は手すり部材２３、２４を容易に握持することが可能であり、これらの手すり部材２３、２４に掴まって椅子１に座ったり、椅子１から立ち上がったりすることが容易である。また、移動テーブル２９は手すり部材２３に取り付けることもできる。
【００１４】
なお、図中、参照番号３３は弾性材料で構成された筒状の保護部材である。
【００１５】
図５は、本発明の椅子の第二実施例である。この実施例の特徴は、腰当てパッド１７、１８を上下方向に移動可能とし、利用者の体型に広く適合できるようにしたことにある。この実施例の腰当てパッド１７、１８は、それぞれ、支持板１９、２０に固定され、支持板１９、２０は背もたれ部１１の側部枠体１２、１３に摺動可能に係合する。すなわち、支持板１９、２０の基端部には管状部３４、３５が形成され、これらの管状部３４、３５は側部部材１２、１３の前方の傾斜管部に摺動可能に嵌合している。したがって、支持板１９、２０はこの傾斜管部の軸線方向に変位することが可能であり、これによって腰当てバッド１７、１８の高さを自由に変えることができる。
【００１６】
【発明の効果】
以上説明したように、本発明の椅子によれば、腰当てパッドと背当てパッドによって人の背骨の両側をそれぞれ保持するから、腰掛けた人は安定した姿勢を維持することが可能であり、腰掛けた人はその状態で種々の作業や動作を行うことができる。
【００１７】
また、本発明の椅子の手すり部材の一方に水平方向に回動自在に移動テーブルを取り付ければ、このテーブル上で読書や飲食等を行うことができる。更に、移動テーブルを取り付けたとき、移動テーブルの支持脚にダンパー付きのキャスターを取り付ければ、移動テーブルの回動を滑らかに行うことができると共に、利用者等が移動テーブルに体重をかけると移動テーブルが下降し、キャスターが床面に当接して固定され、移動テーブルの回動が阻止される。よって、利用者等が不慮の事故にあうことを未然に防止することができる。
【００１８】
更に、この椅子の腰当てパッドを手すり部材の下方に収納可能に構成すれば、腰当てパッドの存在しない状態で種々の作業を行うことができる。また、この椅子の腰当てパッドを背もたれ部に沿って上下方向に移動可能に構成すれば、座る人の体型に合わせてその上体を効果的に保持することができる。
【００１９】
そして、椅子の台座に、便座を有する便器を着脱自在に装着すれば、ポータブルトイレとして機能する。
【００２０】
そして、手すり部材を台座から取り外すことができるように構成すれば、ベッドから椅子に直接乗り移ったり、椅子からベッドに直接移動したりすることができる。
【図面の簡単な説明】
【図１】図１は、本発明の椅子の第一実施例の斜視図である。
【図２】図２は、図１の椅子の正面図である。
【図３】図３は、図１の椅子の左側面図である。
【図４】図４は、図１の椅子の平明図である。
【図５】図５は、本発明の椅子の第二実施例の斜視図である。
【符号の説明】
１　椅子
２　台座
４、５、６　支持脚
８　便座
９　便座開口
１０　支持板
１１　背もたれ部
１５、１６　背当てパッド
１７、１８　腰当てパッド
２３、２４　手すり部材
２９　移動テーブル
３１、３２　キャスター
【図１】
2004113255.tif 000003
【図２】
2004113255.tif 000004
【図３】
2004113255.tif 000005
【図４】
2004113255.tif 000006
【図５】
2004113255.tif 000007